(57)【要約】【課題】導光体の周面から入射した光で発光部を面発光させる標識灯において、光拡散材を用いて発光部の各部を均一に美しく面発光させる。【解決手段】車両用標識灯１において、ハウジング２の内側にＬＥＤ光源１３と透光性部材３を設ける。透光性部材３は、ＬＥＤ光源１３から入射した光を導く棒状の導光部９と、導光部９の周面から入射した光で面発光する発光部１０を含む。発光部１０は、所定領域に光拡散材２１を含有し、導光部９から入射した光を散乱させ、各部均一な散光性発光を生成し、ハウジング２の開口部４から外部に見せる。発光部１０の背面を被覆部材１４で覆い、被覆部材１４にマーク１５を蓄光性インクで印刷し、消灯後に暫くの間、発光部１０を介してロゴを視認できるように構成する。【選択図】図２
2018185973.tif 000002
【特許請求の範囲】
【請求項１】
ハウジングに光源および透光性部材が保持され、前記透光性部材が前記光源から入射した光を導く導光部と、前記導光部の周面から入射した光で発光する発光部とを含み、前記発光部が所定領域に光拡散材を含有し、前記ハウジングが前記発光部の所定領域を外部に露出させるための開口部を備えたことを特徴とする標識灯。
【請求項２】
前記ハウジングが、前記開口部の近傍で前記導光部を隠すための遮蔽部を含む請求項１記載の標識灯。
【請求項３】
前記導光部と前記発光部がインサート成形によって一体化された請求項１又は２記載の標識灯。
【請求項４】
前記発光部の背面側に被覆部材が配置され、該被覆部材に前記発光部の所定領域を介して透視可能なマークが設けられた請求項１〜３の何れか一項に記載の標識灯。
【請求項５】
前記マークが蓄光性材料で形成された請求項４記載の標識灯。
【発明の詳細な説明】
【技術分野】
【０００１】
本発明は、車両用灯具などに用いられる標識灯に関し、詳しくは、光拡散材を含有した散光性発光部を備えた標識灯に関する。
【背景技術】
【０００２】
従来、車両用灯具において、光源からの光を導光部で導き、導光部の周面から入射した光で発光部を面発光させる技術が知られている。例えば、特許文献１には、一対の棒状導光部の間に板状発光部を設け、各棒状導光部の端面に光源を対向配置し、光源からの着色光を棒状導光部で導き、棒状導光部の周面から入射した着色光で板状発光部を面発光させる技術が提案されている。
【先行技術文献】
【特許文献】
【０００３】
【特許文献１】特開２０１２−１９０７６２号公報
【発明の概要】
【発明が解決しようとする課題】
【０００４】
ところが、導光部の周面から入射した光で発光部を面発光させる灯具は、導光部と発光部との接続面または界面が均質な光伝達面となっていないため、従来技術によると、導光部の長手方向において発光部の入光量にバラツキが生じ、発光部を均一に発光させることが困難であった。
【０００５】
そこで、本発明の目的は、発光部の各部を均一に面発光させ、美しい散光性発光を生成できる標識灯を提供することにある。
【課題を解決するための手段】
【０００６】
上記課題を解決するために、本発明の標識灯は、ハウジングに光源および透光性部材が保持され、透光性部材が光源から入射した光を導く導光部と、導光部の周面から入射した光で発光する発光部とを含み、発光部が所定領域に光拡散材を含有し、ハウジングが発光部の所定領域を外部に露出させるための開口部を備えたことを特徴とする。
【０００７】
本発明の標識灯は、光源の点灯時に、光拡散材の散光作用によって発光部の所定領域が面発光する。この散光性の面発光をより美しく見せるために、ハウジングは開口部の近傍に導光部を隠すための遮蔽部を含む。
【０００８】
透光性部材の成形に際しては、アクリルやポリカーボネート等の透明樹脂材料を用いて、導光部および発光部をインサート成形により一体化することができる。また、導光部と発光部を２色同時成形により一体化したり、導光部と発光部を別々に成形した後に接着剤で一体化したりすることも可能である。
【０００９】
本発明の一実施形態では、発光部の背面が被覆部材で覆われ、被覆部材に文字や図形等のマークが設けられ、光源の消灯時に、発光部の所定領域を透視してマークを標識灯の外部から視認できるように構成される。この場合、消灯後も暫くの間発光し続けるように、マークを蓄光性材料で形成するのが望ましい。
【発明の効果】
【００１０】
本発明の標識灯によれば、発光部の所定領域に光拡散材が含まれているので、導光部の周面から発光部に入射した光を拡散材によって散乱させ、発光部の所定領域を均一に面発光させることができ、美しい見栄えの散光性発光をハウジングの開口部から標識灯の外観に提供できるという効果がある。
【図面の簡単な説明】
【００１１】
【図１】本発明の一実施形態を示す標識灯の斜視図である。
【図２】図１の標識灯を分解して示す斜視図である。
【図３】図１の標識灯の縦断面図である。
【図４】光源点灯時の光学作用を示す透光性部材の正面図である。
【図５】光源消灯時の光学作用を示す透光性部材の正面図である。
【図６】透光性部材の成形方法を示す断面図である。
【図７】透光性部材の変形例を示す断面図である。
【図８】ハウジングの変更例を示す断面図である。
【発明を実施するための形態】
【００１２】
以下、本発明を車両用標識灯に具体化した実施形態を図面に基づいて説明する。図１に示す車両用標識灯１は、車体に取り付けられる横長四角形のハウジング２を備えている。ハウジング２の内部には透光性部材３が収容され、ハウジング２の前面に透光性部材３の一部を露出させるための開口部４が形成されている。
【００１３】
図２、図３に示すように、ハウジング２はベース６とカバー７を備え、両者がネジ８で組み付けられている。透光性部材３は、互いに平行な２本の導光部９と、２本の導光部９の間に介在する発光部１０とを一体的に備え、導光部９がカバー７の遮蔽部１１によって隠され、発光部１０の略全域がカバー７の開口部４から露出するようになっている。
【００１４】
ハウジング２の一端部内側には光源基板１２が配置され、光源基板１２の表面に２つのＬＥＤ光源１３が導光部９の一方の端面と対向するように設けられている。導光部９は、アクリルまたはポリカーボネイト等の透明樹脂で棒状に成形され、ＬＥＤ光源１３から入射した光を長手方向に導き、周面から発光部１０の側面を介してその内部に出射する。
【００１５】
発光部１０は、アクリルまたはポリカーボネイト等の透明樹脂で板状に成形され、発光部１０の所定領域（図示例では全域）に二酸化チタン等の金属酸化物粒子からなる光拡散材２１が含有されている。発光部１０の背面はシート状の被覆部材１４で覆われ、被覆部材１４の前面にロゴを表わすマーク１５が蓄光性インクを用いて印刷されている。
【００１６】
そして、透光性部材３が発光部１０の穴１７と被覆部材１４の穴１８を通るネジ１９によってベース６のネジ穴２０に組み付けられるとともに、被覆部材１４が透光性部材３とベース６との間に挟着され、ＬＥＤ光源１３の消灯時に、カバー７の開口部４から発光部１０を透視して、マーク１５を標識灯１の外部から視認できるようになっている。
【００１７】
なお、光拡散材２１の粒径および含有量は、特に限定されないが、平均粒径は１５０〜５００ｎｍ程度、含有量は発光部１０の質量全体に対して０．１〜１００質量ｐｐｍ程度であるのが好ましい。また、光拡散材２１を含有した発光部１０の透明度は、特に限定されないが、板厚４ｍｍの発光部の場合、板厚方向のヘイズ値が７％〜３０％程度であるのが望ましい。
【００１８】
上記構成の車両用標識灯１において、ＬＥＤ光源１３が点灯すると、図４（ａ）に示すように、光源１３の出射光が導光部９の一端面から内部に入射し、内面反射を繰り返して導光部９の長手方向へすすみ、長手方向の各部で一部の光が導光部９の周面から発光部１０の内部に進入し、発光部１０の拡散材２１による散光作用によって、図４（ｂ）に示すように、発光部１０の全域が均一に面発光する。したがって、美しい見栄えの散光性発光をハウジング２の開口部４から標識灯１の外観に提供することができる。
【００１９】
一方、ＬＥＤ光源１３が消灯すると、図５（ａ）に示すように、発光部１０から散光性発光が消えるが、蓄光性材料からなるマーク１５が消灯後も暫くの間発光し続け、開口部４を通してロゴを車両周辺に表出する。そして、消灯後所定の時間が経過すると、図５（ｂ）に示すように、マーク１５は発光を終えるが、透明な発光部１０を介してロゴが継続的に表出されるため、消灯時の車両用標識灯１に見栄えのよいアクセントを付与することができる。
【００２０】
図６は、透光性部材３の成形方法を示す。図６（ａ）に示す透光性部材３は、導光部９と発光部１０が別々に成形された後に、透明接着剤で一体に接着されている。図６（ｂ）に示す透光性部材３は、導光部９と発光部１０が別々に成形された後に、発光部１０が導光部９の凹部９ａに接着剤で接着されている。図６（ｃ）に示す透光性部材３は、導光部９と発光部１０が２色同時成形またはインサート成形によって一体化されている。図６（ｄ）に示す透光性部材３は、発光部１０が導光部９の凹部９aにインサート成形されている。
【００２１】
図７は、透光性部材３の変形例を示す。図７（ａ）に示す透光性部材３では、断面円弧状の発光部１０が断面円形の導光部９の半周面に被着されている。図７（ｂ）に示す透光性部材３では、断面三角形の導光部９が断面矩形の発光部１０に埋設されている。図７（ｃ）に示す透光性部材３では、断面矩形の導光部９が断面六角形の発光部１０に接合されている。図７（ｄ）に示す透光性部材３では、断面方形の導光部９が一部を露出させた状態で断面矩形の発光部１０に埋設されている。
【００２２】
図７（ｅ）に示す透光性部材３では、同じ矩形断面の板状導光部９と板状発光部１０が接合されている。図７（ｆ）に示す透光性部材３では、発光部１０の表面にステップ２４が形成されている。図７（ｇ）に示す透光性部材３では、導光部９と発光部１０の接合面にそれぞれステップ２４が形成されている。図７（ｈ）に示す透光性部材３では、断面六角形の発光部１０の背面にステップ２４が形成されている。
【００２３】
なお、上記実施形態では、透光性部材３の全体を一つのハウジング２に収めているが、図８に示すように、導光部９を２つのハウジング２に別々に収め、両ハウジング２の間の開口部４から発光部１０を露出させるように構成してもよい。また、光拡散材２１を発光部１０の全域に分布させず、例えば図８に示すように、マーク１５と対応する所定の領域に限定して光拡散材２１を発光部１０に分布させることもできる。その他、本発明の趣旨を逸脱しない範囲で、各部の形状や構成を適宜に変更して実施することも可能である。
【符号の説明】
【００２４】
１    車両用標識灯
２    ハウジング
３    透光性部材
４    開口部
９    導光部
１０    発光部
１１    遮蔽部
１３    ＬＥＤ光源
１４    被覆部材
１５    マーク
２１    光拡散材
【図１】
2018185973.tif 000003
【図２】
2018185973.tif 000004
【図３】
2018185973.tif 000005
【図４】
2018185973.tif 000006
【図５】
2018185973.tif 000007
【図６】
2018185973.tif 000008
【図７】
2018185973.tif 000009
【図８】
2018185973.tif 000010